(57)【特許請求の範囲】
【請求項１】
端末がランダムアクセス・プリアンブルメッセージを送信するランダムアクセス・スロットが存在するサブフレームの位置Ｓｎとランダムアクセス・スロットが存在するランダムアクセス・チャンネルの通し番号ｍに基づいて、グループＩＤを確定し、
前記グループＩＤは、
グループＩＤ＝ＲＡ−ＲＮＴＩ−ＣＯＵＮＴ ＋ Ｓｎ％Ｎ ＋ ｍ×Ｎ
という数式に基づいて確定され、
ＲＡ−ＲＮＴＩ−ＣＯＵＮＴがシステムで設定された常数であり、
Ｎは、常数２、５、若しくは１０、または、端末によってランダムアクセス応答メッセージを受信するための時間ウインドウの長さに基づいて確定され、前記時間ウインドウの長さが５以下であるときにはＮは５、その他のときにはＮは１０である、
ことを特徴とするランダムアクセス応答メッセージのグループＩＤ生成方法。
【請求項２】
ＲＡ−ＲＮＴＩ−ＣＯＵＮＴが０、かつ、Ｎが１０であるとき、前記数式は、
グループＩＤ＝Ｓｎ＋ｍ×１０
に簡略化される、
ことを特徴とする請求項１に記載の方法。
【請求項３】
前記ランダムアクセス・スロットが拡散ランダムアクセス・スロットである場合、ランダムアクセス・スロットが存在するサブフレームの通し番号Ｓｎは、ランダムアクセス・スロットが占拠する複数のサブフレームにおける開始位置のサブフレームの通し番号である、ことを特徴とする請求項１または請求項２に記載の方法。
【請求項４】
端末は、ランダムアクセス・スロットでランダムアクセス・プリアンブルメッセージを基地局に送信した後、タイムウィンドウで前記ランダムアクセス・プリアンブルメッセージに対応するランダムアクセス応答メッセージを検証し、前記ランダムアクセス応答メッセージにグループＩＤが含まれ、前記グループＩＤはランダムアクセス・スロットが存在するサブフレームの位置Ｓｎとランダムアクセス・スロットが存在するランダムアクセス・チャンネルの通し番号ｍに基づいて確定され、
前記グループＩＤは、
グループＩＤ＝ＲＡ−ＲＮＴＩ−ＣＯＵＮＴ ＋ Ｓｎ％Ｎ ＋ ｍ×Ｎ
という数式に基づいて確定され、
ＲＡ−ＲＮＴＩ−ＣＯＵＮＴがシステムで設定された常数であり、
Ｎは、常数２、５、若しくは１０、または、端末によってランダムアクセス応答メッセージを受信するための時間ウインドウの長さに基づいて確定され、前記時間ウインドウの長さが５以下であるときにはＮは５、その他のときにはＮは１０である、
ことを特徴とする無線セルラ通信システムのランダムアクセス方法。
【請求項５】
ＲＡ−ＲＮＴＩ−ＣＯＵＮＴが０、かつ、Ｎが１０であるとき、前記数式は、
グループＩＤ＝Ｓｎ＋ｍ×１０
に簡略化される、
ことを特徴とする請求項４に記載の方法。
【請求項６】
前記端末は、システムメッセージを含む共通シグナルからランダムアクセスのタイムウィンドウパラメーターを読み取り、または、切替コマンドメッセージを含む専用シグナルからランダムアクセスのタイムウィンドウパラメーターを読み取る、ことを特徴とする請求項４または請求項５に記載の方法。
【請求項７】
前記ランダムアクセス・スロットが拡散ランダムアクセス・スロットである場合、ランダムアクセス・スロットが存在するサブフレームの通し番号Ｓｎはランダムアクセス・スロットが占拠する複数のサブフレームにおける開始位置のサブフレームの通し番号である、ことを特徴とする請求項４または請求項５に記載の方法。
【請求項８】
基地局は、ランダムアクセス・スロットで端末から送信されたランダムアクセス・プリアンブルメッセージを受信した後、タイムウィンドウで前記ランダムアクセス・プリアンブルメッセージに対応するランダムアクセス応答メッセージを送信し、前記ランダムアクセス応答メッセージにグループＩＤが含まれ、前記グループＩＤはランダムアクセス・スロットが存在するサブフレームの位置Ｓｎとランダムアクセス・スロットが存在するランダムアクセス・チャンネルの通し番号ｍに基づいて確定され、
前記グループＩＤは、
グループＩＤ＝ＲＡ−ＲＮＴＩ−ＣＯＵＮＴ ＋ Ｓｎ％Ｎ ＋ ｍ×Ｎ
という数式に基づいて確定され、
ＲＡ−ＲＮＴＩ−ＣＯＵＮＴがシステムで設定された常数であり、
Ｎは、常数２、５、若しくは１０、または、端末によってランダムアクセス応答メッセージを受信するための時間ウインドウの長さに基づいて確定され、前記時間ウインドウの長さが５以下であるときにはＮは５、その他のときにはＮは１０である、
ことを特徴とする無線セルラ通信システムのランダムアクセス応答方法。
【請求項９】
ＲＡ−ＲＮＴＩ−ＣＯＵＮＴが０、かつ、Ｎが１０であるとき、前記数式は、
グループＩＤ＝Ｓｎ＋ｍ×１０
に簡略化される、
ことを特徴とする請求項８に記載の方法。
【請求項１０】
前記ランダムアクセス・スロットが拡散ランダムアクセス・スロットである場合、ランダムアクセス・スロットが存在するサブフレームの通し番号Ｓｎはランダムアクセス・スロットが占拠する複数のサブフレームにおける開始位置のサブフレームの通し番号である、ことを特徴とする請求項８または請求項９に記載の方法。
【発明の詳細な説明】
【技術分野】
【０００１】
本発明は、無線セルラ通信領域に関し、特に、ランダムアクセス応答メッセージのグループＩＤ（識別子）生成方法及びランダムアクセス方法に関する。
【背景技術】
【０００２】
図１に示すように、無線セルラ通信システムは主に、端末、基地局とコアネットワーク（Ｃｏｒｅ  Ｎｅｔｗｏｒｋ、ＣＮ）からなる。基地局からなるネットワークは、無線アクセスネットワーク（Ｒａｄｉｏ  Ａｃｃｅｓｓ  Ｎｅｔｗｏｒｋ、ＲＡＮ）と呼ばれ、アクセス層のことを負い、例えば、無線リソースの管理など。実際の情況に応じて、基地局同士は、物理的または論理的な接続を存在することができ、例えば、図１の基地局１と基地局２または基地局３との間の接続。各基地局は、一つまたは一つ以上のコアネットワーク（Ｃｏｒｅ  Ｎｅｔｗｏｒｋ、ＣＮ）のノードに接続されることができる。コアネットワークは、非アクセス層のことを負い、例えば、位置更新など、且つ、ユーザインターフェースのアンカーである。端末とは、無線セルラ通信ネットワークと通信可能な各種設備であり、例えば、携帯電話（モバイル）またはパソコンなど。
【０００３】
無線セルラ通信システムは、システムタイム上で、通し番号がＳＦＮ（無線フレーム番号）と称される無線フレームを基本単位とする。端末は、セルサーチの方式で無線フレームの限界を取得して、下りで時間同期を取得する。ＬＴＥ（長期発展型システム：Ｌｏｎｇ  Ｔｅｒｍ  Ｅｖｏｌｕｔｉｏｎ）のような無線セルラ通信システムにおいて、無線フレームの長さは１０ｍｓ（ミリ秒）である。図２に示すように、ＦＤＤ（周波数分割複信：Ｆｒｅｑｕｅｎｃｙ  Ｄｉｖｉｓｉｏｎ  Ｄｕｐｌｅｘ）モードに対して、１つの無線フレームに２つの０．５ｍｓのスロットが含まれる１ｍｓのサブフレームを１０つ含む。図３に示すように、ＴＤＤ（時分割複信：Ｔｉｍｅ  Ｄｉｖｉｓｉｏｎ  Ｄｕｐｌｅｘ）モードには、一般的に、１つの無線フレームは２つの５ｍｓの半分フレームからなり、各半分フレームに１ｍｓのサブフレームが５つ含まれ、フレーム１とサブフレーム６の以外に他のサブフレームにも２つのスロットが含まれ、その中サブフレームとスロットの長さがＦＤＤモードと同じである。サブフレーム１とサブフレーム６はぞれぞれＤｗＰＴＳ、ＧＰとＵｐＰＴＳと呼ばれる３つの特殊なスロットからなる。図４に示すように、＃６サブフレームは、一部のＴＤＤのフレームフォーマットで１つの正常なサブフレームであってもよい。
【０００４】
ＬＴＥシステムに対しては、正常なランダムアクセス・スロットの長さは１ｍｓであり、即ち、１つのサブフレームの長さを占拠する。また、拡張されたランダムアクセス・スロットを導入したため、２〜３つのサブフレームの長さを占拠することができる。また、ＴＤＤモードは、前記ＵｐＰＴＳに送信する短いランダムアクセス・スロットが導入される。
【０００５】
ＦＤＤモードにおいて、時間領域で何れか1つのサブフレームが全てランダムアクセス・スロットに配置されるかもしれないが、１つのランダムアクセス・スロットに１つのランダムアクセス・チャンネルだけがある。１つのランダムアクセス・チャンネルは周波数領域で６つの無線リソースブロック（ＲＢ）の帯域幅を占拠する。ＴＤＤモードにおいては、時間領域でサブフレーム０とサブフレーム５がいつも下りスロットであるので、ランダムアクセル・スロットに配置されることができないが、サブフレーム１とサブフレーム６におけるＵｐＰＴＳスロットがランダムアクセス・スロットを配置することができる。その他のスロットがランダムアクセス・スロットを配置することができるかどうかは、ＴＤＤフレーム構造における上りと下りスロットの配置方法によって決まる。上りスロットに配置されるサブフレームはランダムアクセス・スロットをとすることができる。ＴＤＤモードにおいて、１つのランダムアクセス・スロットに１つまたは複数のランダムアクセス・チャンネルがあってもよい。
【０００６】
従来のＬＴＥシステムにおいて、端末が無線セルラ通信システムにランダムアクセスする過程は、
端末が無線フレームのあるランダムアクセス・スロットにランダムアクセス・プリアンブルメッセージを基地局に送信するステップａと、
基地局がランダムアクセス応答メッセージを端末に応答するステップｂと、
端末がランダムアクセス応答メッセージのグループＩＤとランダムアクセス・プリアンブルの索引に基づいて正確な応答メッセージを受信したか否かを判定するステップｃと、３つのステップを含む。
【０００７】
ステップａにおいて、同一のランダムアクセス・スロットに１つまたは１つ以上がある可能な端末は、互いに異なる可能または同じ可能なランダムアクセス・プリアンブルメッセージを基地局に送信する。基地局は、同一のランダムアクセス・スロットに異なるランダムアクセス・プリアンブルメッセージを識別することができる。
【０００８】
ステップｂにおいて、ランダムアクセス応答メッセージには、同一のランダムアクセス・スロットから送信された１つまたは１つ以上のランダムアクセス・プリアンブルメッセージに対する応答メッセージを含む可能がある。１つ以上のランダムアクセス応答メッセージを一つの応答メッセージに合併するのは、無線リソースにランダムアクセス過程の利用率を向上するためである。端末がこのランダムアクセス応答メッセージを識別できるように、基地局は、ランダムアクセス応答メッセージを送信するランダムアクセス・スロットと対応するグループＩＤを、当該メッセージに付加する。また、ランダムアクセス応答メッセージには、一つのランダムアクセス・プリアンブルメッセージ自身と対応する個別ＩＤが含まれており、通常にランダムアクセス・プリアンブルの索引号（インデックス部分）である。グループＩＤの設置方法は、事前にプロトコルに規定され、ある端末がランダムアクセス・プリアンブルメッセージを基地局に送信する際にどんなグループＩＤと個別ＩＤを受信するかをすでに知った。
【０００９】
ランダムアクセスの応答過程に一定の自由度を持たせるために、時間領域で、ランダムアクセス応答メッセージがランダムアクセス・プリアンブルメッセージと同期させず、即ち、両者が時間領域で固定の関係がない。逆に、ランダムアクセス応答メッセージを一つのタイムウィンドウで送信することが許可される。また、無線リソースのスケジュールの自由度を増加させ、あるランダムアクセス・スロットに受信されたランダムアクセス・プリアンブルメッセージを応答するために、基地局は上記タイムウィンドウでの一つまたは複数のＴＴＩ（伝送時間間隔）で前記ランダムアクセス・プリアンブルメッセージと対応するランダムアクセス応答メッセージを送信することができる。当該タイムウィンドウの開始時刻は基地局がランダムアクセス・プリアンブルメッセージを処理するスピードと関係があり、終了時刻は基地局がランダムアクセス・プリアンブルメッセージを処理する負荷及びランダムアクセス応答メッセージにスケジュールされた無線リソースなどの要素と関係がある。
【００１０】
ステップｃにおいて、端末は所定のタイムウィンドウで１つのランダムアクセス応答メッセージを受信した後、まず、当該メッセージに所期のグループＩＤが含まれるか否かを検証し、当該メッセージに所期のグループＩＤが含まれた場合、さらに、応答メッセージに送信されたランダムアクセス・プリアンブルメッセージと対応する個別ＩＤ（例えば、索引号）が含まれるか否かを検証し、所期の個別ＩＤ（例えば、索引号）が含まれた場合、現在のランダムアクセス応答メッセージが送信されたランダムアクセス・プリアンブルメッセージと対応することを判定することができる。
【００１１】
従来の技術には、ステップｂにおいてグループＩＤを設置する方法が提案されている。これらの方法は、一般に、グループＩＤが所定の時間範囲で唯一となるように、ランダムアクセス・スロットのシステムタイムにおける絶対位置に基づいて、一つのグループＩＤを計算する。これらの方法の欠陥は、まず端末がランダムアクセス・スロットが存在するセルラの絶対システムタイム、通常にＳＦＮと指す、を取得する必要がある。しかしながら、実際の応用において、例えば、端末が切替過程に対象セルラのＳＦＮを知られないので、グループＩＤを計算することができない。通常に、ＳＦＮがシステムメッセージに放送されるので、対象セルラのＳＦＮを取得するために、余分な延遅とシステム処理が必要とし、例えば、システムメッセージを読み取る。
【発明の概要】
【発明が解決しようとする課題】
【００１２】
本発明が解決しようとする技術的な課題は、端末が快速で、正確に無線セルラ通信システムにアクセスさせるように、ランダムアクセス応答メッセージのグループＩＤ生成方法及びランダムアクセス方法を提供することである。
【課題を解決するための手段】
【００１３】
上記の問題を解決するために、本発明の一態様は、ランダムアクセス応答メッセージのグループＩＤ生成方法であって、端末がランダムアクセス・プリアンブルメッセージを送信するランダムアクセス・スロットが存在するサブフレームの位置Ｓｎとランダムアクセス・スロットが存在するランダムアクセス・チャンネルの通し番号ｍに基づいて、グループＩＤを確定する。
【００１４】
さらに、前記グループＩＤは、グループＩＤ＝Ｓｎ＋ｍ×１０数式によって確定する。
【００１５】
さらに、前記ランダムアクセス・スロットが拡散ランダムアクセス・スロットである場合、ランダムアクセス・スロットが存在するサブフレームの通し番号Ｓｎはランダムアクセス・スロットが占拠する複数のサブフレームにおける開始位置のサブフレームの通し番号である。
【００１６】
本発明の他の一態様は、無線セルラ通信システムのランダムアクセス方法であって、端末がランダムアクセス・スロットにランダムアクセス・プリアンブルメッセージを基地局に送信した後、タイムウィンドウで前記ランダムアクセス・プリアンブルメッセージと対応するランダムアクセス応答メッセージを検証し、前記ランダムアクセス応答メッセージにグループＩＤが含まれ、前記グループＩＤはランダムアクセス・スロットが存在するサブフレームの位置Ｓｎとランダムアクセス・スロットが存在するランダムアクセス・チャンネルの通し番号ｍに基づいて確定する。
【００１７】
さらに、前記グループＩＤは、グループＩＤ＝Ｓｎ＋ｍ×１０数式によって確定する。
【００１８】
さらに、前記端末は、システムメッセージを含む共通シグナルからランダムアクセスのタイムウィンドウパラメーターを読み取り、または、切替コマンドメッセージを含む専用シグナルからランダムアクセスのタイムウィンドウパラメーターを読み取る。
【００１９】
さらに、前記ランダムアクセス・スロットが拡散ランダムアクセス・スロットである場合、ランダムアクセス・スロットが存在するサブフレームの通し番号Ｓｎはランダムアクセス・スロットが占拠する複数のサブフレームにおける開始位置のサブフレームの通し番号である。
【００２０】
本発明の他の一態様は、無線セルラ通信システムのランダムアクセス応答方法であって、基地局がランダムアクセス・スロットに端末から送信したランダムアクセス・プリアンブルメッセージを受信した後、タイムウィンドウで前記ランダムアクセス・プリアンブルメッセージと対応するランダムアクセス応答メッセージを送信し、前記ランダムアクセス応答メッセージにグループＩＤが含まれ、前記グループＩＤはランダムアクセス・スロットが存在するサブフレームの位置Ｓｎとランダムアクセス・スロットが存在するランダムアクセス・チャンネルの通し番号ｍに基づいて確定する。
【００２１】
さらに、前記グループＩＤは、グループＩＤ＝Ｓｎ＋ｍ×１０数式によって確定される。
【００２２】
さらに、前記ランダムアクセス・スロットが拡散ランダムアクセス・スロットである場合、ランダムアクセス・スロットが存在するサブフレームの通し番号Ｓｎはランダムアクセス・スロットが占拠する複数のサブフレームにおける開始位置のサブフレームの通し番号である。
【００２３】
本発明の方法を採用すれば、端末は快速で、正確に無線セルラ通信システムにアクセスさせることができ、ランダムアクセス応答メッセージにおけるグループＩＤを確定する際に、ＳＦＮの読み取りを依頼することなく、特に、切替過程に行われるランダムアクセス過程に対して重要である。また、ランダムアクセス・スロットの配置がどのように変化するのに関わらず、同様な方法を採用してグループＩＤを設置し、容易に実現する。
【図面の簡単な説明】
【００２４】
【図１】従来技術に係る無線セルラ通信システムの構造を示す図である。
【図２】従来技術に係るＬＴＥ  ＦＤＤモードの無線フレーム構造を示す図である。
【図３】従来技術に係るＬＴＥ ＴＤＤモードの無線フレーム構造を示す図である。
【図４】従来技術に係るＬＴＥ ＴＤＤモードの他の無線フレーム構造を示す図である。
【図５】本発明における実施例に係る無線セルラ通信システムのランダムアクセス方法のフローチャートである。
【発明を実施するための形態】
【００２５】
本発明において、端末は、ランダムアクセス・スロットにランダムアクセス・プリアンブルメッセージを基地局に送信した後、タイムウィンドウで前記ランダムアクセス・プリアンブルメッセージと対応するランダムアクセス応答メッセージを検証し、前記対応するランダムアクセス応答メッセージにグループＩＤが含まれ、前記グループＩＤは前記ランダムアクセス・スロットが存在するサブフレームの通し番号及びランダムアクセス・スロットが存在する前記ランダムアクセス・チャンネルの通し番号に基づいて確定される。
【００２６】
前記グループＩＤは、グループＩＤ＝Ｓｎ＋ｍ×１０数式によって確定することが好ましい。
【００２７】
その中、前記パラメーターＳｎは前記ランダムアクセス・スロットが存在するサブフレームの通し番号であり、前記パラメーターｍは前記ランダムアクセス・スロットが存在するランダムアクセス・チャンネルの通し番号である。
【００２８】
以下に図面及び実施例を結び付けて本発明の技術案を更に詳しく説明する。
【００２９】
図５に示すように、無線セルラ通信システムのランダムアクセス方法は以下のステップを含む。
【００３０】
ステップ５０１では、端末が、ランダムアクセス・スロットによりランダムアクセス・プリアンブルメッセージを基地局に送信し、予定したグループＩＤの生成方法に従い、当該ランダムアクセス・スロットが存在するサブフレームの位置、当該ランダムアクセス・スロットが存在するランダムアクセス・チャンネルの通し番号に基づいて、所期のグループＩＤを確定する。
【００３１】
ステップ５０２では、基地局が、端末が採用したものと同じなグループＩＤ生成方法を採用してグループＩＤ ＲＡ−ＲＮＴＩ（ランダムアクセス無線ネットワークの臨時ＩＤ）を確定して、ランダムアクセス・プリアンブルメッセージと対応する個別ＩＤと一緒にランダムアクセス応答メッセージに付加し、当該メッセージを端末に送信する。
【００３２】
ステップ５０３では、端末が、タイムウィンドウで、その受信したランダムアクセス応答メッセージにおけるグループＩＤとランダムアクセス・プリアンブルの索引が、それぞれ端末が確定した初期値であると検証し判定すると、当該ランダムアクセス応答メッセージがその送信したランダムアクセス・プリアンブルメッセージと対応する応答メッセージであると確定する。
【００３３】
ステップ５０２において、ランダムアクセス応答メッセージには基地局が端末に割り当てた上り無線リソースが含まれる。ステップ５０３において、端末は、所期のランダムアクセス応答メッセージを受信したと確定した後、前記上り無線リソースによりメッセージまたはデータを基地局に送信する。
【００３４】
ステップ５０３において、端末がランダムアクセス応答メッセージを受信するタイムウィンドウパラメーターは、端末によりシステムメッセージを含む共通シグナルから読み取られ、または、前記端末により切替コマンドメッセージを含む専用シグナルから読み取られる。
【００３５】
ステップ５０１または５０２において、グループＩＤの生成方法は以下の通りである。
【００３６】
端末が送信したランダムアクセス・プリアンブルメッセージのランダムアクセス・スロットが存在するサブフレームの位置Ｓｎとランダムアクセス・スロットが存在するランダムアクセス・チャンネルの通し番号ｍに基づいてグループＩＤを確定する。
【００３７】
前記グループＩＤは、直接に以下の数式によって確定する。
ＲＡ−ＲＮＴＩ＝Ｓｎ＋ｍ×１０          （１）
その中、Ｓｎは、ランダムアクセス・スロットが無線フレームで存在するサブフレームの通し番号であり、ランダムアクセス・スロットが拡散ランダムアクセス・スロットである場合、ランダムアクセス・スロットが占拠する複数のサブフレームにおける開始位置のサブフレームの通し番号であり、ＴＤＤモードにおいて、ランダムアクセス・スロットがＵｐＰＴＳを占拠すれば、サブフレーム１またはサブフレーム６である。
【００３８】
ｍは、ランダムアクセス・スロットが存在するランダムアクセス・チャンネルの通し番号である。ＦＤＤモードの場合、１つのランダムアクセス・チャンネルのみを配置し、ｍがいつも０である。ＴＤＤの場合、複数のランダムアクセス・チャンネルを配置することができ、ｍは０より大きくなる可能性がある。
【００３９】
また、１つの範囲値Ｎ、及びランダムアクセス・スロットが存在するサブフレームの位置Ｓｎとランダムアクセス・スロットが存在するランダムアクセス・チャンネルの通し番号ｍを用いて、グループＩＤを確定することができる。前記範囲値Ｎは、ネットワーク配置のタイムウィンドウに基づいて確定してよいし、１つの常数であってもよい。
【００４０】
範囲値Ｎが１０である場合、グループＩＤの生成は、即ち、ランダムアクセス・スロットが存在するサブフレームの位置Ｓｎとランダムアクセス・スロットが存在するランダムアクセス・チャンネルの通し番号ｍのみに基づいて確定する。
【００４１】
次の式によってランダムアクセス・スロットと対応するＲＡ−ＲＮＴＩを確定することができる。
ＲＡ−ＲＮＴＩ＝ＲＡ−ＲＮＴＩ−ＣＯＵＮＴ＋Ｓｎ％Ｎ＋ｍ×Ｎ          （２）
その中、パラメーターＳｎ及びｍが前に説明されたので、ここで重複説明を省略する。
【００４２】
範囲値Ｎは、端末がランダムアクセス応答メッセージを受信するタイムウィンドウの長さに基づいて確定することができる。例えば、タイムウィンドウが５よりも以下である場合、Ｎの値は５であり、そうしないと、Ｎの値は１０である。Ｎは１つの固定値２、５、１０を取る常数であってもよい。タイムウィンドウの長さはシステムより配置され、端末は、専用シグナル、例えば切替シグナル、または共通シグナル、例えばシステムメッセージによって知られる。
【００４３】
％とはモジュロ演算子を示し、Ｓｎ％ＮとはＳｎのＮに対するモジュラスで、即ちＳｎをＮで除した余りである。
【００４４】
ＲＡ−ＲＮＴＩ−ＣＯＵＮＴは、システムが設定した常数であり、システムが端末に配置した身分ＩＤのＣ−ＲＮＴＩの長さと同じ、即ち、占拠するビット数が同じである。ＲＡ−ＲＮＴＩ−ＣＯＵＮＴの値は０に設定されることができる。
【００４５】
上記より分かるように、Ｎ＝１０、ＲＡ−ＲＮＴＩ−ＣＯＵＮＴ＝０であると、上記の数式（２）は、即ち、以下の数式に簡略化される。
ＲＡ−ＲＮＴＩ＝Ｓｎ％１０＋ｍ×１０  （３）
Ｓｎの範囲が０〜９であるので、Ｓｎ％１０＝Ｓｎ、即ち、数式（３）は数式（１）と同じになる。
ＲＡ−ＲＮＴＩ＝Ｓｎ＋ｍ×１０  
以下に具体的な実用例でさらに説明する。
【００４６】
数式（１）によってグループＩＤの生成を確定する。
【００４７】
ＦＤＤモードに対しては、ｍが０であると、ＲＡ−ＲＮＴＩ＝Ｓｎであり、よって、サブフレーム２（即ちＳｎ＝２）に送信されたランダムアクセス・プリアンブルメッセージが対応するＲＡ−ＲＮＴＩ＝２であり、サブフレーム８（即ちＳｎ＝８）に送信されたランダムアクセス・プリアンブルメッセージが対応するＲＡ−ＲＮＴＩ＝８である。
【００４８】
ＴＤＤモードに対しては、４つのランダムアクセス・チャンネルを配置したとすると、０つ目のランダムアクセス・チャンネル（ｍ＝０）のサブフレーム２（Ｓｎ＝２）に送信されたランダムアクセス・プリアンブルメッセージが対応するＲＡ−ＲＮＴＩ＝２＋０＊１０、即ち２である。３つ目のランダムアクセス・チャンネル（ｍ＝３）のサブフレーム８（Ｓｎ＝８）に送信されたランダムアクセス・プリアンブルメッセージが対応するＲＡ−ＲＮＴＩ＝８＋３＊１０、即ち３８である。
【００４９】
数式（２）によってグループＩＤの生成を確定する。
【００５０】
ＦＤＤモードに対しては、ｍは０であり、受信タイムウィンドウが４とすると、Ｎは５であり、よって、サブフレーム３（即ちＳｎ＝３）に送信されたランダムアクセス・プリアンブルメッセージが対応するＲＡ−ＲＮＴＩ＝ＲＡ−ＲＮＴＩ−ＣＯＵＮＴ＋３％５、即ちＲＡ−ＲＮＴＩ−ＣＯＵＮＴ＋３である。サブフレーム７（即ちＳｎ＝７）に送信されたランダムアクセス・プリアンブルメッセージが対応するＲＡ−ＲＮＴＩ＝ＲＡ−ＲＮＴＩ−ＣＯＵＮＴ＋７％５、即ちＲＡ−ＲＮＴＩ−ＣＯＵＮＴ＋２である。
【００５１】
ＴＤＤモードに対しては、３つのランダムアクセス・チャンネルを配置し、受信タイムウィンドウが６であるとすると、Ｎは１０であり、よって、０つ目のランダムアクセス・チャンネル（ｍ＝０）のサブフレーム３（Ｓｎ＝３）に送信されたランダムアクセス・プリアンブルメッセージが対応するＲＡ−ＲＮＴＩ＝ＲＡ−ＲＮＴＩ−ＣＯＵＮＴ＋３％１０＋０＊１０、即ちＲＡ−ＲＮＴＩ−ＣＯＵＮＴ＋３である。２つ目のランダムアクセス・チャンネル（ｍ＝２）のサブフレーム７（Ｓｎ＝７）に送信されたランダムアクセス・プリアンブルメッセージが対応するＲＡ−ＲＮＴＩ＝ＲＡ−ＲＮＴＩ−ＣＯＵＮＴ＋７％１０＋２＊１０、即ちＲＡ−ＲＮＴＩ−ＣＯＵＮＴ＋２７である。
【００５２】
数式（２）に係るＲＡ−ＲＮＴＩ−ＣＯＵＮＴは０Ｘ２００８（１６進法で示す）であるとする。
【００５３】
具体的な実施例１
ＦＤＤモードにおいて、受信タイムウィンドウの長さが４ｍｓであるとすると、Ｎは５であり、ランダムアクセス・プリアンブルを送信するサブフレームの通し番号はＳｎであり、よって、
ＲＡ−ＲＮＴＩ＝０Ｘ２００８＋Ｓｎ％５である。その中、Ｓｎの範囲は０〜９である。
【００５４】
Ｓｎ＝３である場合、ＲＡ−ＲＮＴＩ＝０Ｘ２００８＋３＝０Ｘ２００Ｂである。
Ｓｎ＝６である場合、ＲＡ−ＲＮＴＩ＝０Ｘ２００８＋１＝０Ｘ２００９である。
【００５５】
具体的な実施例２
ＴＤＤモードにおいて、受信タイムウィンドウの長さが６ｍｓであるとすると、Ｎは１０であり、ランダムアクセス・プリアンブルを送信するスロットが存在するサブフレームの通し番号はＳｎであり、ランダムアクセス・プリアンブルスロットが存在するランダムアクセス・チャンネルの通し番号はｍであり、よって、
ＲＡ−ＲＮＴＩ＝０Ｘ２００８＋Ｓｎ％１０＋ｍ×１０である。その中Ｓｎの範囲は１、２、３、４、６、７、８、９である。
【００５６】
ｍ＝０で、Ｓｎ＝１である場合、ＲＡ−ＲＮＴＩ＝０Ｘ２００８＋１＝０Ｘ２００９である。
ｍ＝１で、Ｓｎ＝３である場合、ＲＡ−ＲＮＴＩ＝０Ｘ２００８＋３＋１０＝０Ｘ２０１５である。
ｍ＝２で、Ｓｎ＝６である場合、ＲＡ−ＲＮＴＩ＝０Ｘ２００８＋６＋２０＝０Ｘ２０２２である。
【００５７】
上記の数式において、１６進法の０Ｘ２００８が直接に１０進法のＳｎ％１０及びｍ×１０と加算する操作は、数式（２）を容易に理解することを目的とする。
【００５８】
本発明は特定の実施例を結び付けて説明したが、実質及び要旨を逸脱しない範囲で、当業者が本発明に対して様々の改良および切替したものは、本発明の特許請求の範囲に含まれると理解すべきである。
【産業上の利用可能性】
【００５９】
本発明は、ランダムアクセス応答メッセージのグループＩＤ生成方法、無線セルラ通信システムのランダムアクセス方法及びランダムアクセス応答方法を提供する。端末は、ランダムアクセス・スロットが存在する絶対システムタイムを取得する必要がなく、快速で、正確に無線セルラ通信システムにアクセスさせる。また、ランダムアクセス・スロットの配置がどのように変化するのに関わらず、同様な方法を採用してグループＩＤを設置し容易に実現する。
【図１】
0005383789.tif 000002
【図２】
0005383789.tif 000003
【図３】
0005383789.tif 000004
【図４】
0005383789.tif 000005
【図５】
0005383789.tif 000006